【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
印刷装置の動作スケジュールを管理する情報処理装置であって、
印刷装置の動作スケジュールを記憶するスケジュール記憶手段と、
前記動作スケジュールに基づいて、前記印刷装置の空き時間を候補時間として検出する検出手段と、
前記検出手段で検出された候補時間の中から、原稿データを処理可能な候補時間の単体又は組み合わせを検索する検索手段と、
前記検索手段で検索された候補時間の単体又は組み合わせを選択する選択手段と、
前記選択手段で選択された候補時間の単体又は組み合わせに基づいて、前記印刷すべき原稿データのための印刷装置の動作スケジュールを決定する決定手段とを備えることを特徴とする情報処理装置。
【請求項２】
印刷装置の能力に関する情報を記憶する能力情報記憶手段を更に備え、
前記検索手段は、前記能力に関する情報に基づいて原稿データを処理可能な候補時間を検索することを特徴とする請求項１に記載の情報処理装置。
【請求項３】
前記印刷すべき原稿データの印刷設定情報と前記能力情報記憶手段に記憶された情報とに基づいて、該原稿データの印刷に利用可能な印刷装置を抽出する抽出手段を更に備え、
前記検索手段は、前記抽出手段で抽出された印刷装置の候補時間から、前記候補時間の単体又は組み合わせの検索を実行することを特徴とする請求項２に記載の情報処理装置。
【請求項４】
印刷終了時刻を含むスケジュール条件を設定する設定手段を更に備え、
前記検索手段は、前記印刷終了時刻までの候補時間の中から当該候補時間の単体又は組み合わせを検索することを特徴とする請求項１乃至３のいずれか１項に記載の情報処理装置。
【請求項５】
前記検索手段は、前記検出手段によって検出された候補時間から前記スケジュール条件を満たす候補時間を検索するものに絞り込むことを特徴とする請求項４に記載の情報処理装置。
【請求項６】
前記スケジュール条件は少なくとも１つの項目からなる制約条件を更に含み、
前記制約条件の各項目は点数が割り振られ、
前記検索手段は、前記印刷終了時刻までの時間範囲に分布する候補時間の中から処理可能な処理量が印刷すべき原稿データの処理量以上となる候補時間の単体又は組み合わせを検索し、検索された候補時間の単体又は組み合わせそれぞれについて、該候補時間の単体又は組み合わせが満たしている該制約条件の各項目に割り振られた該点数を合計し、
前記選択手段は、該合計された点数の値が高い該候補時間の単体又は組み合わせから順に提示することを特徴とする請求項４または５に記載の情報処理装置。
【請求項７】
前記スケジュール記憶手段に記憶された動作スケジュールに基づいて、前記原稿データより印刷ジョブを生成し、該印刷ジョブを印刷させるべく所定の印刷装置へ送出する印刷ジョブ制御手段を更に備えることを特徴とする請求項１乃至６のいずれか１項に記載の情報処理装置。
【請求項８】
印刷装置の動作スケジュールを管理する情報処理装置の制御方法であって、
印刷装置の動作スケジュールを記憶手段に記憶するスケジュール記憶工程と、
前記動作スケジュールに基づいて、前記印刷装置の空き時間を候補時間として検出する検出工程と、
前記検出工程で検出された候補時間の中から、原稿データを処理可能な候補時間の単体又は組み合わせを検索する検索工程と、
前記検索工程で検索された候補時間の単体又は組み合わせを選択する選択工程と、
前記選択工程で選択された候補時間の単体又は組み合わせに基づいて、前記印刷すべき原稿データのための印刷装置の動作スケジュールを決定する決定工程とを備えることを特徴とする情報処理装置の制御方法。
【請求項９】
印刷装置の能力に関する情報を記憶手段に記憶する能力情報記憶工程を更に備え、
前記検索工程では、前記能力に関する情報に基づいて原稿データを処理可能な候補時間を検索することを特徴とする請求項８に記載の情報処理装置の制御方法。
【請求項１０】
前記印刷すべき原稿データの印刷設定情報と前記能力情報記憶工程において記憶手段に記憶された情報とに基づいて、該原稿データの印刷に利用可能な印刷装置を抽出する抽出工程を更に備え、
前記検索工程では、前記抽出工程で抽出された印刷装置の候補時間から、前記候補時間の単体又は組み合わせの検索を実行することを特徴とする請求項９に記載の情報処理装置の制御方法。
【請求項１１】
印刷終了時刻を含むスケジュール条件を設定する設定工程を更に備え、
前記検索工程では、前記印刷終了時刻までの候補時間の中から当該候補時間の単体又は組み合わせを検索することを特徴とする請求項８乃至１０のいずれか１項に記載の情報処理装置の制御方法。
【請求項１２】
前記検索工程では、前記検出工程で検出された候補時間から前記スケジュール条件を満たす候補時間を検索するものに絞り込むことを特徴とする請求項１１に記載の情報処理装置の制御方法。
【請求項１３】
前記スケジュール条件は少なくとも１つの項目からなる制約条件を更に含み、
前記制約条件の各項目は点数が割り振られ、
前記検索工程は、前記印刷終了時刻までの時間範囲に分布する候補時間の中から処理可能な処理量が印刷すべき原稿データの処理量以上となる候補時間の単体又は組み合わせを検索し、検索された候補時間の単体又は組み合わせそれぞれについて、該候補時間の単体又は組み合わせが満たしている該制約条件の各項目に割り振られた該点数を合計し、
前記選択工程は、該合計された点数の値が高い該候補時間の単体又は組み合わせから順に提示することを特徴とする請求項１１または１２に記載の情報処理装置の制御方法。
【請求項１４】
前記スケジュール記憶工程において記憶手段に記憶された動作スケジュールに基づいて、前記原稿データより印刷ジョブを生成し、該印刷ジョブを印刷させるべく所定の印刷装置へ送出する印刷ジョブ制御工程を更に備えることを特徴とする請求項８乃至１３のいずれか１項に記載の情報処理装置の制御方法。
【請求項１５】
印刷装置の動作スケジュールを管理する情報処理装置の制御方法をコンピュータに実行させるプログラムであって、前記コンピュータに、
印刷装置の動作スケジュールを記憶手段に記憶するスケジュール記憶工程と、
前記動作スケジュールに基づいて、前記印刷装置の空き時間を候補時間として検出する検出工程と、
前記検出工程で検出された候補時間の中から、原稿データを処理可能な候補時間の単体又は組み合わせを検索する検索工程と、
前記検索工程で検索された候補時間の単体又は組み合わせを選択する選択工程と、
前記選択工程で選択された候補時間の単体又は組み合わせに基づいて、前記印刷すべき原稿データのための印刷装置の動作スケジュールを決定する決定工程とを実行させるプログラム。
【請求項１６】
前記コンピュータに、更に、印刷装置の能力に関する情報を記憶手段に記憶する能力情報記憶工程を実行させ、
前記検索工程では、前記能力に関する情報に基づいて原稿データを処理可能な候補時間を検索することを特徴とする請求項１５に記載のプログラム。
【請求項１７】
前記コンピュータに、更に、前記印刷すべき原稿データの印刷設定情報と前記能力情報記憶工程において記憶手段に記憶された情報とに基づいて、該原稿データの印刷に利用可能な印刷装置を抽出する抽出工程を実行させ、
前記検索工程では、前記抽出工程で抽出された印刷装置の候補時間から、前記候補時間の単体又は組み合わせの検索を実行することを特徴とする請求項１６に記載のプログラム。
【請求項１８】
前記コンピュータに、更に、印刷終了時刻を含むスケジュール条件を設定する設定工程を実行させ、
前記検索工程では、前記印刷終了時刻までの候補時間の中から当該候補時間の単体又は組み合わせを検索することを特徴とする請求項１５乃至１７のいずれか１項に記載のプログラム。
【請求項１９】
前記検索工程では、前記検出工程で検出された候補時間から前記スケジュール条件を満たす候補時間を検索するものに絞り込むことを特徴とする請求項１８に記載のプログラム。
【請求項２０】
前記スケジュール条件は少なくとも１つの項目からなる制約条件を更に含み、
前記制約条件の各項目は点数が割り振られ、
前記検索工程では、前記印刷終了時刻までの時間範囲に分布する候補時間の中から処理可能な処理量が印刷すべき原稿データの処理量以上となる候補時間の単体又は組み合わせを検索し、検索された候補時間の単体又は組み合わせそれぞれについて、該候補時間の単体又は組み合わせが満たしている該制約条件の各項目に割り振られた該点数を合計し、
前記選択工程は、該合計された点数の値が高い該候補時間の単体又は組み合わせから順に提示することを特徴とする請求項１８または１９に記載のプログラム。
【請求項２１】
前記コンピュータに、更に、前記スケジュール記憶工程において記憶手段に記憶された動作スケジュールに基づいて、前記原稿データより印刷ジョブを生成し、該印刷ジョブを印刷させるべく所定の印刷装置へ送出する印刷ジョブ制御工程を実行させることを特徴とする請求項１５乃至２０のいずれか１項に記載のプログラム。
【請求項２２】
印刷装置と情報処理装置を備えるコンピュータシステムであって、
印刷装置の動作スケジュールを記憶するスケジュール記憶手段と、
前記動作スケジュールに基づいて、前記印刷装置の空き時間を候補時間として検出する検出手段と、
前記検出手段で検出された候補時間の中から、原稿データを処理可能な候補時間の単体又は組み合わせを検索する検索手段と、
前記検索手段で検索された候補時間の単体又は組み合わせを選択する選択手段と、
前記選択手段で選択された候補時間の単体又は組み合わせに基づいて、前記印刷すべき原稿データのための印刷装置の動作スケジュールを決定する決定手段と
前記スケジュール記憶手段に記憶された動作スケジュールに基づいて、前記原稿データより印刷ジョブを生成し、該印刷ジョブを印刷させるべく印刷装置へ送出する印刷ジョブ制御手段を備えることを特徴とするコンピュータシステム。
【請求項２３】
印刷装置の動作スケジュールを記憶する情報処理装置であって、
前記動作スケジュールに基づいて、前記印刷装置の空き時間から原稿データを処理可能な候補時間を抽出する抽出手段と、
前記抽出手段により抽出された候補時間を表示する表示制御手段と、
前記表示制御手段により表示された候補時間から、前記原稿データを割り当てるべき候補時間を選択する選択手段と、
前記選択手段により選択された候補時間に基づいて、前記印刷すべき原稿データを処理すべき印刷装置の動作スケジュールを決定する決定手段とを備えることを特徴とする情報処理装置。
【請求項２４】
前記空き時間において処理可能な処理量を算出する算出手段を有し、
前記抽出手段は、前記算出手段により算出された処理量から前記原稿データの処理量以上となる空き時間を候補時間として抽出することを特徴とする請求項２３に記載の情報処理装置。
【請求項２５】
前記抽出手段により候補時間を抽出するための抽出条件を設定する設定手段を有し、
前記抽出手段は、前記設定手段により複数の印刷装置にて処理することが設定されている場合、前記原稿データを処理可能となる複数の印刷装置の空き時間を組み合わせた候補時間を抽出することを特徴とする請求項２３または２４に記載の情報処理装置。
【請求項２６】
印刷装置の動作スケジュールを記憶する情報処理方法であって、
前記動作スケジュールに基づいて、前記印刷装置の空き時間から原稿データを処理可能な候補時間を抽出する抽出工程と、
前記抽出工程により抽出された候補時間を表示する表示制御工程と、
前記表示制御工程により表示された候補時間から、前記原稿データを割り当てるべき候補時間を選択する選択工程と、
前記選択工程で選択された候補時間に基づいて、前記印刷すべき原稿データを処理すべき印刷装置の動作スケジュールを決定する決定工程とを備えることを特徴とする情報処理方法。
【請求項２７】
前記空き時間において処理可能な処理量を算出する算出工程を有し、
前記抽出工程は、前記算出工程で算出された処理量から前記原稿データの処理量以上となる空き時間を候補時間として抽出することを特徴とする請求項２６に記載の情報処理方法。
【請求項２８】
前記抽出工程により候補時間を抽出するための抽出条件を設定する設定工程を有し、
前記抽出工程は、前記設定工程により複数の印刷装置にて処理することが設定されている場合、前記原稿データを処理可能となる複数の印刷装置の空き時間を組み合わせた候補時間を抽出することを特徴とする請求項２６または２７に記載の情報処理方法。
【請求項２９】
印刷装置の動作スケジュールを管理する情報処理装置の制御をコンピュータに実行させるプログラムであって、コンピュータに、
前記動作スケジュールに基づいて、前記印刷装置の空き時間から原稿データを処理可能な候補時間を抽出する抽出工程と、
前記抽出工程により抽出された候補時間を表示する表示制御工程と、
前記表示制御工程により表示された候補時間から、前記原稿データを割り当てるべき候補時間を選択する選択工程と、
前記選択工程で選択された候補時間に基づいて、前記印刷すべき原稿データを処理すべき印刷装置の動作スケジュールを決定する決定工程を実行させることを特徴とするプログラム。
【請求項３０】
前記コンピュータに、更に、前記空き時間において処理可能な処理量を算出する算出工程を実行させ、
前記抽出工程では、前記算出工程で算出された処理量から前記原稿データの処理量以上となる空き時間を候補時間として抽出することを特徴とする請求項２９に記載のプログラム。
【請求項３１】
前記コンピュータに、更に、前記抽出工程により候補時間を抽出するための抽出条件を設定する設定工程を実行させ、
前記抽出工程では、前記設定工程により複数の印刷装置にて処理することが設定されている場合、前記原稿データを処理可能となる複数の印刷装置の空き時間を組み合わせた候補時間を抽出することを特徴とする請求項２９または３０に記載のプログラム。
【手続補正２】
【補正対象書類名】明細書
【補正対象項目名】０００９
【補正方法】変更
【補正の内容】
【０００９】
上記目的を達成するため、例えば本発明による情報処理装置は以下の構成を備える。即ち、
印刷装置の動作スケジュールを管理する情報処理装置であって、
印刷装置の動作スケジュールを記憶するスケジュール記憶手段と、
前記動作スケジュールに基づいて、前記印刷装置の空き時間を候補時間として検出する検出手段と、
前記検出手段で検出された候補時間の中から、原稿データを処理可能な候補時間の単体又は組み合わせを検索する検索手段と、
前記検索手段で検索された候補時間の単体又は組み合わせを選択する選択手段と、
前記選択手段で選択された候補時間の単体又は組み合わせに基づいて、前記印刷すべき原稿データのための印刷装置の動作スケジュールを決定する決定手段とを備える。